(57)【要約】方法は、無線フレーム・プロトコルを提供する。この方法は、無線通信チャネルのダウンリンク部分とアップリンク部分との間での切り換わりを容易にする送信インタバルを通信することを含む。この方法は、無線通信チャネルのダウンリンク部分とアップリンク部分との間での送信周波数のオーバラップを緩和するために、送信インタバル中に１または複数のガード期間を適用する。
2011512706.tif 000002
【特許請求の範囲】
【請求項１】
無線プロトコルを提供する方法であって、
無線通信チャネルのダウンリンク部分とアップリンク部分との間の切り換えを容易にする送信インタバルを通信することと、
前記無線通信チャネルのダウンリンク部分とアップリンク部分との間の送信周波数のオーバラップを緩和するために、前記送信インタバル中に、１または複数のガード期間を適用することと
を備える方法。
【請求項２】
前記ガード期間は、設定可能な時間予約を含む請求項１に記載の方法。
【請求項３】
前記ガード期間は、少なくとも１つのダウンリンク・パイロット送信構造（ＤｗＰＴＳ）を含む請求項１に記載の方法。
【請求項４】
前記ガード期間は、少なくとも１つのアップリンク・パイロット送信構造（ＵｐＰＴＳ）を含む請求項３に記載の方法。
【請求項５】
前記ガード期間は、約１ミリ秒からなる全期間について設定される請求項４に記載の方法。
【請求項６】
前記ガード期間は、約５ミリ秒あるいは約１０ミリ秒周期で繰り返すように設定される請求項４に記載の方法。
【請求項７】
前記ガード期間は、約１０ミリ秒のインタバルの間に、８つのトラフィック・スロットに関連付けられた２つの特別なスロットとして設定される請求項４に記載の方法。
【請求項８】
４：４、５：３、６：２、または３：５を含むダウンリンク（ｄ）対アップリンク（ｕ）比（ｄ：ｕ）をさらに備える請求項７に記載の方法。
【請求項９】
前記ガード期間は、約１０ミリ秒のインタバルの間に、９つのトラフィック・スロットに関連付けられた１つの特別なスロットとして設定される請求項４に記載の方法。
【請求項１０】
５：４、６：３、７：２、または４：５を含むダウンリンク（ｄ）対アップリンク（ｕ）比（ｄ：ｕ）をさらに備える請求項９に記載の方法。
【請求項１１】
前記送信インタバルは約５ミリ秒である請求項１に記載の方法。
【請求項１２】
前記送信インタバルは、少なくとも５つのサブフレームを含む請求項１１に記載の方法。
【請求項１３】
前記送信インタバルは、少なくとも８つのトラフィック・スロットを含む請求項１１に記載の方法。
【請求項１４】
前記８つのトラフィック・スロット部分のために、パケット・データ制御チャネル（ＰＤＣＣＨ）または物理ブロードキャスト・チャネル（ＰＢＣＨ）のうちの少なくとも１つを生成することをさらに備える請求項１１に記載の方法。
【請求項１５】
前記８つのトラフィック・スロット部分のために、プライマリ同期信号（ＰＳＳ）またはセカンダリ同期信号（ＳＳＳ）のうちの少なくとも１つを生成することをさらに備える請求項１１に記載の方法。
【請求項１６】
前記８つのトラフィック・スロット部分のために、１または複数のリソース・ブロックを生成することをさらに備える請求項１１に記載の方法。
【請求項１７】
通信装置であって、
無線フレーム・プロトコルにおける１または複数の時間期間を予約するための命令群を保持するメモリを備え、
ダウンリンク・チャネルとアップリンク・チャネルとの間の周波数オーバラップを緩和するためにガード期間が適用され、前記時間期間は、少なくとも、ダウンリンク部分、アップリンク部分、およびガード部分を含み、
前記通信装置はさらに、前記命令群を実行するプロセッサを備える装置。
【請求項１８】
前記時間期間を設定するための命令群をさらに備える請求項１７に記載の装置。
【請求項１９】
前記時間期間を定義する特別なスロットとトラフィック・スロットとを処理するための命令群をさらに備える請求項１７に記載の装置。
【請求項２０】
前記トラフィック・スロットと前記特別なスロットとの比を設定するための命令群をさらに備える請求項１９に記載の装置。
【請求項２１】
通信装置であって、
無線通信のダウンリンク部分とアップリンク部分との間の周波数オーバラップを緩和するために適合された１または複数の特別な期間を含む送信インタバルを生成する手段と、
前記特別な期間を設定する手段と、
前記無線通信のダウンリンク部分とアップリンク部分との比を設定する手段と
を備える装置。
【請求項２２】
コンピュータ読取可能媒体を備えるコンピュータ・プログラム製品であって、
前記コンピュータ読取可能媒体は、
送信インタバルのダウンリンク・バッファ期間を予約するためのコードと、
前記送信インタバルのダウンリンク・バッファ期間にガード期間を割り当てるためのコードと、
前記ガード期間に加えて、アップリンク・バッファ期間を予約するためのコードとを備え、
前記ダウンリンク・バッファ期間、前記ガード期間、および前記アップリンク・バッファ期間は、ダウンリンク無線通信期間とアップリンク無線通信期間との間の切り換えを容易にするために適用されるコンピュータ・プログラム製品。
【請求項２３】
プロセッサであって、
無線ブロードキャストのダウンリンク部分とアップリンク部分との間の時間期間を制御するために適用される少なくとも１つの特別な期間を設定することと、
前記特別な期間と連携して複数のトラフィック期間を送信することと、
前記無線ブロードキャストのダウンリンク部分とアップリンク部分との間の切り換えを制御するために、前記特別な期間と前記トラフィック期間とを利用することと、
からなる命令群を実行するプロセッサ。
【請求項２４】
無線プロトコルを提供する方法であって、
無線通信プロトコルのダウンリンク部分とアップリンク部分との間の切り換えを容易にする送信インタバルを受信することと、
前記無線通信プロトコルのダウンリンク部分とアップリンク部分との間の周波数のオーバラップを緩和するために、前記送信インタバルの間、１または複数のガード期間を処理することと
を備える方法。
【請求項２５】
前記ガード期間は、設定可能な時間部分を含む請求項２４に記載の方法。
【請求項２６】
前記ガード期間は、少なくとも１つのダウンリンク・パイロット送信構造（ＤｗＰＴＳ）および少なくとも１つのアップリンク・パイロット送信構造（ＵｐＰＴＳ）を含む請求項２５に記載の方法。
【請求項２７】
前記ガード期間は、約１０ミリ秒のインタバルの間に、８つのトラフィック・スロットに関連付けられた２つの特別なスロットとして設定される請求項２６に記載の方法。
【請求項２８】
４：４、５：３、６：２、または３：５を含むダウンリンク（ｄ）対アップリンク（ｕ）比（ｄ：ｕ）をさらに備える請求項２７に記載の方法。
【請求項２９】
前記ガード期間は、約１０ミリ秒のインタバルの間に、９つのトラフィック・スロットに関連付けられた１つの特別なスロットとして設定される請求項２６に記載の方法。
【請求項３０】
５：４、６：３、７：２、または４：５を含むダウンリンク（ｄ）対アップリンク（ｕ）比（ｄ：ｕ）をさらに備える請求項２９に記載の方法。
【請求項３１】
通信装置であって、
無線フレーム・プロトコルにおいて、複数の時間期間を受信するための命令群を保持するメモリを備え、
ダウンリンク・チャネルとアップリンク・チャネルとの間の切り換えを容易にするためにガード期間が適用され、前記時間期間は、少なくともダウンリンク部分、アップリンク部分、およびガード部分を含み、
前記通信装置はさらに、前記命令群を実行するプロセッサを備える装置。
【請求項３２】
通信装置であって、
無線通信のダウンリンク部分とアップリンク部分との間の切り換えを容易にするために適合された１または複数の特別な期間を含む送信インタバルを受信する手段と、
前記特別な期間を設定する手段と、
前記無線通信のダウンリンク部分とアップリンク部分との比を設定する手段と
を備える装置。
【請求項３３】
コンピュータ読取可能媒体を備えるコンピュータ・プログラム製品であって、
前記コンピュータ読取可能媒体は、
送信インタバルのダウンリンク・バッファ期間を受信するためのコードと、
前記送信インタバルのダウンリンク期間にしたがってガード期間を処理するためのコードと、
前記ガード期間に加えてアップリンク・バッファ期間を処理するためのコードとを備え、
前記ダウンリンク・バッファ期間、前記ガード期間、および前記アップリンク・バッファ期間は、ダウンリンク無線通信期間とアップリンク無線通信期間との間の切り換えを容易にするために適用されるコンピュータ・プログラム製品。
【請求項３４】
プロセッサであって、
無線ブロードキャストのダウンリンク部分とアップリンク部分との間の時間期間を制御するために適用される少なくとも１つの特別な期間を設定することと、
前記特別な期間と連携して複数のトラフィック期間を受信することと、
無線ブロードキャストのダウンリンク部分とアップリンク部分との間の切り換えを制御するために、前記特別な期間と前記トラフィック期間とを処理することと、
からなる命令群を実行するプロセッサ。
【発明の詳細な説明】
【関連出願に対する相互参照】
【０００１】
本願は、FRAME STRUCTURE OPERATION IN COMMUNICATION SYSTEMSと題され２００８年１月７日に出願された米国仮出願６１／０１９，５７１号の利益を要求する。上記出願の全体は本明細書において参照によって組み込まれる。
【技術分野】
【０００２】
以下の記載は、一般に、無線通信システムに関し、さらに詳しくは、効率的な通信を容易にするフレーム構造プロトコルに関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
直交周波数分割多重（ＯＦＤＭ）通信システムは、システム帯域幅全体を、複数（ＮＦ個）のサブキャリアへ効率的に分割する。これらサブキャリアは、周波数サブチャネル、トーン、あるいは周波数ビンとも称されうる。ＯＦＤＭシステムの場合、送信されるデータ（つまり情報ビット）は、符号化されたビットを生成するために特定の符号化スキームで最初に符号化される。また、符号化されたビットは、その後、変調シンボルにマッピングされるマルチ・ビット・シンボルへさらにグループ化される。変調シンボルはおのおのの、データ送信のために使用される特定の変調スキーム（例えば、Ｍ−ＰＳＫあるいはＭ−ＱＡＭ）によって定義された信号コンステレーションに対応する。おのおのの周波数サブキャリアの帯域幅に依存しうる時間インタバルのおのおのにおいて、変調シンボルは、ＮＦ個の周波数サブキャリアのおのおので送信されうる。したがって、ＯＦＤＭは、システム帯域幅にわたる別の減衰量によって特徴付けられる周波数選択フェージングによって引き起こされるシステム間干渉（ＩＳＩ）と格闘するために使用されうる。
【０００５】
一般に、無線多元接続通信システムは、順方向リンクおよび逆方向リンクによる送信によって１または複数の基地局と通信する複数の無線端末のための通信を同時にサポートしうる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００６】
ＭＩＭＯシステムは、データ送信のために、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。一般に、ＮＳ個の独立したチャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。ＭＩＭＯシステムはまた、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビームフォーミング・ゲインを抽出できるようになる。
【０００７】
無線システムにおける１つの共通のアプリケーションは、基地局と無線デバイスとの間のアップリンク通信およびダウンリンク通信である。これらの状況では、一方の構成要素が送信し、他方の構成要素が受信している場合、信号間でのオーバラップがないのが望ましい。言い換えれば、ダウンリンクまたはアップリンクに含まれる複数の構成要素による同時送信はなされるべきではなく、一方の構成要素が受信し、他方の構成要素が送信すべきである。現在のプロトコル・システムは、そのようなオーバラップを許容する。それは、通信技術が進歩すると、望ましいことではない。
【発明の概要】
【０００８】
以下は、権利主張された主題のうちのいくつかの態様の基本的な理解を提供するために、簡単な概要を示す。この概要は、広範な概観ではなく、権利主張された主題の重要要素／決定的要素を特定することでもなく、範囲を線引きすることも意図されていない。その唯一の目的は、いくつかの概念を、後に示されるより詳細な記載に対する前置きとして、より簡単な形式で表すことである。
【０００９】
システムおよび方法は、無線通信システムにおけるアップリンク・チャネルおよびダウンリンク・チャネルの最適な使用のために、フレーム構造プロトコル・エンハンスメントを利用する。一例において、そのようなプロトコル・エンハンスメントは、既存の時分割同期符号分割多元接続（ＴＤ−ＳＣＤＭＡ）システムと効率的な手法で互換性を保つロング・ターム・イボリューション（ＬＴＥ）システムを用いて適用されうる。ダウンリンク・チャネルとアップリンク・チャネルとの間の効率的な切り換えを容易にするために、無線フレーム構造の送信インタバル内に、ガード期間が提供される。このガード期間は、送信無線デバイスと受信無線デバイスとの間でのオーバラップを阻止または緩和するために適用される（例えば、２つの通信構成要素が同時に送信することを阻止する）。このような期間は、ダウンリンク・インタバルとアップリンク・インタバルとの間の切り換えの間に、オーバラップする送信期間を緩和しながら、所与の無線セルが効率的に展開されるために、自動的に設定されるか、あるいは、ユーザによってマニュアルで設定されうる。一例において、ガード期間は、送信インタバルのうちのダウンリンク部分やアップリンク部分に割り当てられうる。さらに、追加のガード期間が、それぞれのアップリンク部分とダウンリンク部分との間に挿入されうる。さらに、無線通信の効率を高めるために、最適なアップリンク対ダウンリンク比が指定および設定されうる。
【００１０】
前述した目的および関連する目的を達成するために、本明細書では、ある例示的な態様が、以下の説明および添付図面と関連して説明される。しかしながら、これらの態様は、権利主張された主題の原理が適用されるさまざまな方法のうちのほんのいくつかを示すのみであり、権利主張された主題は、そのようなすべての態様およびそれらの均等物を含むことが意図される。図面と連携して考慮された場合、以下に示す詳細説明から、その他の利点および斬新な特徴が明らかになりうる。
【図面の簡単な説明】
【００１１】
【図１】図１は、無線ブロードキャストのアップリンク部分とダウンリンク部分との間の切り換えを容易にするためにガード期間を適用するシステムの高レベル・ブロック図である。
【図２】図２は、アップリンク通信とダウンリンク通信との間の周波数オーバラップを緩和するためにガード期間を適用する送信インタバルの高レベル図を例示する。
【図３】図３は、アップリンク通信とダウンリンク通信との間の周波数オーバラップを緩和するためにガード期間を適用する送信インタバルの詳細図を例示する。
【図４】図４は、アップリンク通信とダウンリンク通信との間の周波数オーバラップを緩和するためにガード期間を使用する獲得期間の詳細図を例示する。
【図５】図５は、アップリンク通信とダウンリンク通信との間の切り換えを容易にするためにフレーム構造プロトコルを利用する無線通信方法を例示する。
【図６】図６は、フレーム構造プロトコルのための論理モジュールを例示する。
【図７】図７は、代替となるフレーム構造プロトコルのための論理モジュールを例示する。
【図８】図８は、フレーム構造プロトコルを適用する通信装置を例示する。
【図９】図９は、多元接続無線通信システムを例示する。
【図１０】図１０は、フレーム構造プロトコルを用いて適用されうる通信システムを例示する。
【図１１】図１１は、フレーム構造プロトコルを用いて適用されうる通信システムを例示する。
【発明を実施するための形態】
【００１２】
システムおよび方法は無線通信のダウンリンク部分とアップリンク部分との間の切り換えを容易にするために提供される。１つの態様では、方法は無線フレーム・プロトコルを提供する。この方法は、無線通信チャネルにおけるダウンリンク部分とアップリンク部分との間の切り換えを容易にする送信インタバルを通信することを含む。無線通信チャネルのダウンリンク部分とアップリンク部分との間での送信周波数のオーバラップを緩和するために、この方法は送信インタバル中に、１または複数のガード期間を使用する。
【００１３】
図１に示すように、システム１００は、無線ネットワーク１１０のアップリンク部分とダウンリンク部分との間の切り換えを容易にするためにガード期間を使用する。システム１００は、無線ネットワーク１１０を介して第２の（単数または複数の）デバイス１３０へ通信することが可能なエンティティでありうる基地局１２０（イボルブド・ノードＢまたはｅＮＢとも称される）を含む。例えば、おのおののデバイス１３０は、アクセス端末（端末、ユーザ機器、またはモバイル・デバイスとも称される）になりえる。構成要素１２０、１３０のおのおのは、それぞれフレーム・プロトコル構成要素１４０、１５０を含んでいる、このプロトコル構成要素は、ネットワーク１１０を介した通信の効率を改善するために提供される。図示するように、基地局１２０はダウンリンク１６０によってデバイス１３０に通信し、アップリンク１７０によってデータを受信する。デバイス１３０はまた、ダウンリンク・チャネルによってデータを送信し、アップリンク・チャネルによってデータを受信するので、アップリンクおよびダウンリンクといった名称は任意である。２つの構成要素１２０、１３０しか示されていないが、本明細書で記載されたフレーム構造プロトコルに、さらなる構成要素が適用されうるネットワーク１１０では、２を超える構成要素も適用されうる。
【００１４】
図示されるように、無線通信システム１００では、アップリンク・チャネル１６０およびダウンリンク・チャネル１７０の最適な使用のために、複数のガード期間１８０が適用される。一例において、フレーム・プロトコル構成要素１４０、１５０は、既存の時分割同期符号分割多元接続（ＴＤ−ＳＣＤＭＡ）システムと、効率的な手法で互換性を保つロング・ターム・イボリューション（ＬＴＥ）システムを用いて適用されうる。ダウンリンク・チャネル１６０とアップリンク・チャネル１７０との間の効率的な切り換えを容易にするために、無線フレーム構造の送信インタバル内に（後述するような）ガード期間１８０が提供される。ガード期間１８０は、送信無線デバイスと受信無線デバイスとの間のオーバラップを阻止または緩和する（例えば、２つの通信構成要素１２０、１３０の同時送信を防ぐ）ために使用される。このような期間１８０は、ダウンリンク・インタバルとアップリンク・インタバルとの間の切り換えの間において、オーバラップする送信期間を緩和しながら、所与の無線セルまたはネットワーク１１０が効率的に展開されるために、自動的に設定されるか、あるいは、ユーザによってマニュアルで設定されうる。一例において、ガード期間１８０は、送信インタバルのうちのダウンリンク部分やアップリンク部分に割り当てられうる。さらに、追加のガード期間が、それぞれのアップリンク部分とダウンリンク部分との間に挿入されうる。さらに、無線通信の効率を高めるために、最適なアップリンク対ダウンリンク比が指定および設定されうる。
【００１５】
通常、フレーム・プロトコル構成要素１４０。１５０は、図２乃至図４に関連して、以下により詳細に例示および説明されるさまざまな態様をサポートする。これは、無線通信チャネルのダウンリンク部分１６０とアップリンク部分１７０との間の切り換えを容易にする送信インタバルを通信する無線フレーム・プロトコル１４０、１５０を提供するシステムおよび方法を含む。この方法は、無線通信チャネルのダウンリンク部分とアップリンク部分との間の送信周波数のオーバラップを緩和するために、送信インタバル内に１または複数ガード期間を適用する。このガード期間１８０は、設定可能な少なくとも１つのダウンリンク・パイロット送信構造（ＤｗＰＴＳ）を含む時間予約を含む。そのようなガード期間１８０はさらに、期間全体に対して例えば約１ミリ秒が設定されうる少なくとも１つのアップリンク・パイロット送信構造（ＵｐＰＴＳ）をも含む。
【００１６】
ガード期間１８０は、約５ミリ秒または約１０ミリ秒周期で繰り返されるように設定されうる。例えば、この期間１８０は、約１０ミリ秒間隔の間に、８つのトラフィック・スロットに関連付けられる２つの特別なスロットとして設定されうる。これは、例えば、４：４、５：３、６：２、または３：５を含むダウンリンク（ｄ）対アップリンク（ｕ）比（ｄ：ｕ）を設定することを含む。別の態様では、ガード期間１８０は、例えば約１０ミリ秒間隔の間に、９つのトラフィック・スロットに関連付けられる１つの特別なスロットとして設定されうる。この例では、ダウンリンク（ｄ）対アップリンク（ｕ）比（ｄ：ｕ）は、例えば、５：４、６：３、７：２、または４：５を含む。
【００１７】
また別の態様では、（以下に例示および説明するように）送信インタバルは約５ミリ秒であり、少なくとも８つのトラフィック・スロットに加えて、少なくとも５つのサブフレームを含みうる。例えば、そのようなスロットは、プライマリ同期信号（ＰＳＳ）またはセカンダリ同期信号（ＳＳＳ）に加えて、パケット・データ制御チャネル（ＰＤＣＣＨ）または物理ブロードキャスト・チャネル（ＰＢＣＨ）のうちの少なくとも１つを含みうる。これらスロットはさらに、８つのトラフィック・スロット部分について、１または複数のリソース・ブロックを含みうる。既に説明したように、そのような送信インタバル、特別なスロット、トラフィック・スロット、サブフレーム等は、図２乃至図４に関して以下に詳細に図示および説明される。
【００１８】
システム１００は、アクセス端末またはモバイル・デバイスとともに適用され、例えば、ＳＤカード、ネットワーク・カード、無線ネットワーク・カード、（ラップトップ、デスクトップ、情報携帯端末ＰＤＡを含む）コンピュータ、モバイル電話、スマート・フォン、または、ネットワークにアクセスするために利用されうるその他任意の適切な端末のようなモジュールでありうることが注目される。端末は、アクセス構成要素（図示せず）を経由してネットワークにアクセスする。一例において、端末とアクセス構成要素との間の接続は、本質的には無線である。ここでは、アクセス構成要素は基地局であり、モバイル・デバイスは無線端末である。例えば、端末および基地局は、限定される訳ではないが、時分割多元接続（ＴＤＭＡ）、符号分割多元接続（ＣＤＭＡ）、周波数分割多元接続（ＦＤＭＡ）、直交周波数分割多重化（ＯＦＤＭ）、フラッシュＯＦＤＭ、直交周波数分割多元接続（ＯＦＤＭＡ）、あるいはその他の適切なプロトコルを含む任意の適切な無線プロトコルによって通信しうる。
【００１９】
アクセス構成要素は、有線ネットワークあるいは無線ネットワークに関連付けられたアクセス・ノードでありうる。その目的のために、アクセス構成要素は、例えばルータ、スイッチ等となりうる。アクセス構成要素は、他のネットワーク・ノードと通信するために、１または複数のインタフェース（例えば、通信モジュール）を含みうる。さらに、アクセス構成要素は、セルラ・タイプのネットワークにおける基地局（または無線アクセス・ポイント）でありうる。ここでは、複数の加入者へ無線有効通信範囲エリアを提供するために基地局（または無線アクセス・ポイント）が利用される。そのような基地局（または無線アクセス・ポイント）は、１または複数のセルラ電話および／またはその他の無線端末へ、隣接した有効通信範囲エリアを提供するように構成されうる。
【００２０】
図２は、アップリンク通信とダウンリンク通信との間の周波数オーバラップを緩和するために、ガード期間を適用する送信インタバルの例を示す図解２００である。簡単にする目的のために、さまざまな頭文字が使用されている。頭文字の詳細な定義のリストは、本明細書の末尾近くに示される。一般に、例である送信インタバル２１０中に、８つのトラフィック・スロットと、３つの特別なスロットとが設定される。これらトラフィック・スロットは、周波数分割デュプレクス（ＦＤＤ）と同様のＯＦＤＭヌメロロジー（numerology）を含みうる。特別なスロットは、ダウンリンク・パイロット送信構造（ＤｗＰＴＳ）２２０、ガード期間（ＧＰ）２３０、およびアップリンク・パイロット送信構造（ＵｐＰＴＳ）２４０を含む。ここでは、２２０、２３０、２４０を組み合わせて約１ミリ秒（ｍｓ）になるように設定されうる。したがって、個々の長さは、設定可能であり、一般には、プライマリ同期（ＰＳＣ）が、ＤｗＰＴＳ  ２２０の最初のシンボルである。また、以下に説明するように、セカンダリ同期（ＳＳＣ）は、サブフレーム０のうちの最後のシンボルである。効率的なリソース利用のために、ＵｐＰＴＳ  ２４０およびＤｗＰＴＳ  ２２０が適用される。ここでは、通信デバイス間でのＤＬ−＞ＵＬおよびＵＬ−＞ＤＬの両方の併合を助けるために、ガード期間２３０が適用される。
【００２１】
一般に、サブフレーム０（ＳＦ０）はダウンリンク部分に先行し、ＵｐＰＴＳ後のスロットは、アップリンク部分を含む。一般に、１０ｍｓ境界において、１つのＤＬ−＞ＵＬ切り換えが存在するが、複数の切り換えがなされるように設定されうる。１つの態様では、ｅＮＢは、ガード期間２３０に組み入れられるタイミングを調節する。別の態様では、データ送信機（ＤＴＸ）は、１つのＯＦＤＭシンボルを適用する。これは、約３０ｍｓ以上の切り換え時間である。２２０の第１の特別なスロットは、第１のＯＦＤＭシンボル内のダウンリンクＰＳＣ（１．２５ＭＨｚ）を含みうる。これによっても、利用のためのリソース割当が可能となる。
【００２２】
ＤｗＰＴＳのいくつかの属性は、第１のシンボルであるＰＳＣの１．４ＭＨｚ動作を含む。その他のシンボルは、ＰＤＳＣＨ＞１．４ＭＨｚを含む。ここでは、第１のシンボル：１．２５ＭＨｚ  ＰＳＣ、残りの帯域幅：他のタイミング問題を解決するために適用されるＤ−ＢＣＨ、ＰＤＳＣＨ。他の態様は、ＤｗＰＴＳ内のリソース・ブロック（Ｒｂ）を利用することを含んでいる。これは、潜在的に最大１スパンを有する個別のＰＤＣＣＨを含んでおり、ＰＨＩＣＨまたはＰＣＦＩＣＨの必要性を緩和する。ＳＦ０のリソース・ブロックは、ＤｗＰＴＳまで拡張しうる。
【００２３】
ＵｐＰＴＳに関して、物理レイヤ・ランダム・アクセス・バーストは、ＵｐＰＴＳ前に、例えばＳｔａｒｔ  ２５ｍｓ（７６８Ｔｓ）のようなショート・バーストが与えられる。標準／延長期間は、ＵＬサブフレームの開始にあわせて開始する。ここでは、例えば、許可された最大１６までの、より多くのプリアンブル・シーケンスが適用されうる。このバーストは、もし望まれれば、ＰＵＳＣＨ／ＰＵＣＣＨのために残りのリソースを使用しうる。オプションは、ＰＵＣＣＨのみを送るユーザに対して割り当てることを含む。これによって、ＲＡＣＨの変化に対してより良好な許容性を与える。別の態様では、ＵｐＰＴＳが除去されうる。ここでは、ＦＤＤプロトコルにおけるように、ＵｐＰＴＳおよびＳＲＳが適用された後に、サブフレーム内にＲＡＣＨが提供される。ＵｐＰＴＳは、ＳＲＳのためにも適用される。そして、ＲＡＣＨのために、ＵｐＰＴＳ後のサブフレームを用いる。例えば、これは、ＴＤＭ、ＩＦＤＭ、およびＬＦＤＭを含みうる。別の態様では、ＵＬ／ＤＬ設定は、テスト、遅延、フィードバック、ＨＡＲＱ処理、非対称問題、ＵＬ制御、遷移周波数、ホッピング、およびＵＬオーバヘッドについて制限されうる（あるいは拡張されうる）。
【００２４】
ＨＡＲＱに関して、時間スケジュールを満足するために、再送信レイテンシ、受信機バッファ要件、送信機／受信機複雑さを含む多くの処理が考慮されうる。これは、非対称性を含むＵＬにおける管理可能な実施複雑さ、処理能力、ＡＣＫ多重化を含む。タイミングは、ＵＥおよびｅＮＢのための３ｍｓの処理時間、サポート可能なセル・サイズ、および、ＤＴＸ／ＳＲＸ考慮を含みうる。ここでは、同期動作により、オーバヘッドが低減される。ＵＬ電力制御は、オプションとして、ｅＮＢにおけるＳＲＳサポートを伴うサウンディング基準信号、干渉管理を含みうる。ＰＵＣＣＨ構造は、変調のための直交カバー、復調のための直交カバーＲＳ、および、物理リソースへのマッピングに対する調整を含む。
【００２５】
図３を参照して、アップリンク通信とダウンリンク通信との間の周波数オーバラップを緩和するためにガード期間を適用する送信インタバル３００の詳細な例が例示されている。図示するように、サブフレーム＃０  ３１０は、ＤｗＰＴＳ期間３２０、ガード期間３３０、ＵｐＰＴＳ期間３４０の前にある。その後、サブフレーム＃２  ３５０が続く。ＤｗＰＴＳ期間は、制御部分３６０およびデータ部分３７０を含み、プライマリ同期信号（ＰＳＳ）３８０およびセカンダリ同期信号（ＳＳＳ）３９０が前後する。いくつかのパラメータの例は、ＤｗＰＴＳ長さを含んでいる。これは、例えば、通常のＣＰの場合、３−１４  ＯＦＤＭシンボルであり、サブフレーム１の場合、最大１２であり、拡張ＣＰの場合、３−１２  ＯＦＤＭシンボルであり、サブフレーム１の場合、最大１０である。ＰＳＳは、第３のＯＦＤＭシンボル・サブフレーム１および６で送信される。ＰＤＣＣＨスパンは、例えば１または２のＯＦＤＭシンボルである。制御領域後に送信されたデータは、ＤＬサブフレームに類似しうる。データＰＲＢは、通常ＰＳＳを除外する。セルに特有のＲＳパターンは、他のＤＬサブフレームと類似している。
【００２６】
ガード期間３３０は、例えば、１００ｋｍのセル半径をサポートする構成をサポートするように設定されうる。ここで、通常のＣＰの場合、１−１０のＯＦＤＭシンボルであり、拡張されたＣＰの場合、１−８のＯＦＤＭシンボルである。例えば、ガード期間は、１−２のＯＦＤＭシンボルを含みうる。ＵｐＰＴＳ  ３４０は、一般に、持続時間が、１つのＯＦＤＭシンボル分または２つのＯＦＤＭシンボル分であり、ＳＲＳのみの場合は１シンボルであり、１つまたは両方のシンボルがショートＲＡＣＨを有するＳＲＳの場合は２シンボルである。
【００２７】
図４を参照して、アップリンク通信とダウンリンク通信との間の周波数オーバラップを緩和するために、ガード期間を適用した獲得期間４００の例が例示される。図示するように、一般的な期間４１０は約１０ミリ秒であり、（０乃至９の）１０のサブフレームを含みうる。これらサブフレームは、既に説明したように、ガード期間を提供する特別なスロットおよびトラフィック・スロットに分割されうる。これらガード期間は、サブフレーム１内における４２０と、サブフレーム６内における４３０とに示されている。トラフィック・スロットは、４４０および４４２における通常のサイクリック・プレフィクス、および／または、４５０および４５２における拡張されたプレフィックスを含みうる。これらプレフィクスは、例えば、（図においてＣと示される）ＰＤＣＣＨ、（図においてＰと示される）ＰＳＳ、（図においてＳ１と示される）ＳＳ１、（図においてＳ２と示される）ＳＳ２、および（図においてＢと示される）ＰＢＣＨを含みうる。リソース・ブロックもまた提供されうる。
【００２８】
図５に示すように、無線通信方法５００が例示される。説明を単純にする目的で、これら方法（および本明細書に記載されたその他の方法）は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、権利主張された主題にしたがって方法を実現するために、必ずしも例示された全ての動作が必要とされる訳ではない。
【００２９】
５１０に進んで、既に説明したように、約５ミリ秒でありうる送信インタバルが定義される。一般に、２つの送信インタバルは、約１０ミリ秒からなる獲得期間を備える。５２０では、ガード期間が、送信インタバルに関連付けられる。既に述べたように、これらは、ＤｗＰＴＳと、ＵｐＰＴＳと、その間に配置されたガード期間（ＧＰ）とを含む。前述したように、ガード期間は、約５ミリ秒または約１０ミリ秒周期で繰り返すように構成されうる。例えば、これら期間（ＤｗＰＴＳ、ＧＰ、ＵｐＰＴＳ）は、約１０ミリ秒のインタバルの間に、８つのトラフィック・スロットに関連付けられた２つの特別なスロットとして設定されうる。これは、例えば、４：４、５：３、６：２、または３：５を含むダウンリンク（ｄ）対アップリンク（ｕ）比（ｄ：ｕ）を設定することを含む。別の態様では、ガード期間は、例えば、１０ミリ秒のインタバルの間に、９つのトラフィック・スロットに関連付けられた１つの特別なスロットとして設定されうる。この例では、ダウンリンク（ｄ）対アップリンク（ｕ）比（ｄ：ｕ）は、例えば、５：４、６：３、７：２、または４：５を含む。５３０では、手元の特定のアプリケーションに適合するように、ガード期間が設定される。例えば、少ないデバイスしか含まれていないのであれば、より短いガード期間が設定される。そのような期間は、基地局またはＵＥにおいてマニュアルで設定されうるか、および／または、検出されたアプリケーションまたは状況に応じて自動的に設定されうる。５４０では、（例えば、基地局およびＵＥのような）無線通信構成要素のそれぞれのダウンリンク・チャネルおよびアップリンク・チャネルの間の切り換え期間中の周波数オーバラップを緩和するために、ガード期間が適用される。
【００３０】
本明細書に記載された技術は、さまざまな手段によって実現される。例えば、これらの技術は、ハードウェア、ソフトウェア、あるいはそれらの組み合わせで実現されうる。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。ソフトウェアを用いた場合、本明細書に記載された機能を実行するモジュールによって実現される。ソフトウェア・コードがメモリ・ユニット内に格納され、プロセッサによって実行されうる。
【００３１】
図６および図７に移って、無線信号処理に関連するシステムが提供される。これらシステムは、プロセッサ、ソフトウェア、ハードウェア、ファームウェア、あるいはこれらの任意の適切な組み合わせによって実現される機能を表す相互関連する一連の機能ブロックとして表される。
【００３２】
図６に示すように、無線通信システム６００が提供される。このシステム６００は、無線通信のダウンリンク部分とアップリンク部分との間の周波数オーバラップを緩和するために適合された１または複数の特別な期間を含む送信インタバルを生成する論理モジュール６０２を含む。システム６００はまた、特別な期間を設定する論理モジュール６０４と、無線通信のダウンリンク部分とアップリンク部分との比を設定する論理モジュール６０６とを含む。
【００３３】
図７に示すように、無線通信システム７００が提供される。システム７００は、無線通信のダウンリンク部分とアップリンク部分との間の切り換えを容易にするように適合された１または複数の特別な期間を含む送信インタバルを受信する論理モジュール７０２を含んでいる。システム７００はまた、特別な期間を設定する論理モジュール７０４と、無線通信のダウンリンク部分とアップリンク部分との比を設定する論理モジュール７０６とを含む。
【００３４】
図８は、例えば無線端末のように、無線通信装置になりえる通信装置８００を例示する。それに加えて、あるいは、その代わりに、通信装置８００は、有線ネットワーク内に存在しうる。通信装置８００は、無線通信端末において信号分析を実行するための命令群を保持するメモリ８０２を含みうる。さらに、通信装置８００は、メモリ８０２内の命令群、および／または、別のネットワーク・デバイスから受信した命令群を実行するプロセッサ８０４を含む。これら命令群は、通信装置８００または関連する通信装置を設定または動作させることに関連しうる。
【００３５】
図９に示すように、多元接続無線通信システム９００が例示される。多元接続無線通信システム９００は、セル９０２、９０４、９０６を含む複数のセルを含んでいる。システム９００の態様では、セル９０２、セル９０４、およびセル９０６は、複数のセクタを含むノードＢを含む。これら複数のセクタは、セルの一部内のＵＥとの通信を担当するアンテナをおのおの備えたアンテナのグループによって形成されうる。例えば、セル９０２では、アンテナ・グループ９１２、９１４および９１６は、おのおの異なるセクタに対応する。セル９０４では、アンテナ・グループ９１８、９２０および９２２は、おのおの異なるセクタに対応する。セル９０６では、アンテナ・グループ９２４、９２６および９２８は、おのおの異なるセクタに対応する。セル９０２、９０４および９０６は、例えばユーザ機器すなわちＵＥのように、セル９０２、９０４または９０６のおのおのの１または複数のセクタと通信しうるいくつかの無線通信デバイスを含みうる。例えば、ＵＥ９３０および９３２は、ノードＢ９４２と通信し、ＵＥ９３４および９３６は、ノードＢ９４４と通信し、ＵＥ９３８および９４０は、ノードＢ９４６と通信しうる。
【００３６】
図１０を参照して、１つの態様にしたがう多元接続無線通信システムが図示される。アクセス・ポイント１０００（ＡＰ）は、複数のアンテナ・グループを含んでいる。１つは１００４、１００６を含み、他のものは１００８、１０１０を含み、さらに他のものは１０１２、１０１４を含む。図１０では、おのおののアンテナ・グループについて２本のアンテナしか示されていない。しかしながら、おのおののアンテナ・グループについて、それより多くまたはそれより少ないアンテナが利用されうる。アクセス端末１０１６（ＡＴ）はアンテナ１０１２およびアンテナ１０１４と通信している。アンテナ１０１２およびアンテナ１０１４は、順方向リンク１０２０によってアクセス端末１０１６へ情報を送信し、逆方向リンク１０１８によってアクセス端末１０１６から情報を受信しうる。アクセス端末１０２２はアンテナ１００６およびアンテナ１００８と通信している。アンテナ１００６およびアンテナ１００８は、順方向リンク１０２６によってアクセス端末１０２２へ情報を送信し、逆方向リンク１０２４によってアクセス端末１０２２から情報を受信しうる。ＦＤＤシステムでは、通信リンク１０１８、１０２０、１０２４、１０２６は、通信のために、異なる周波数を使用しうる。例えば、順方向リンク１０２０は、逆方向リンク１０１８によって使用されるものとは異なる周波数を使用しうる。
【００３７】
通信するように設計された領域および／またはアンテナのおのおののグループは、しばしば、アクセス・ポイントのセクタと称される。おのおののアンテナ・グループは、アクセス・ポイント１０００によってカバーされる領域のセクタ内のアクセス端末と通信するように設計される。順方向リンク１０２０、１０２６による通信では、アクセス・ポイント１０００の送信アンテナは、別のアクセス端末１０１６、１０２４の順方向リンクの信号対雑音比を改善するために、ビームフォーミングを利用する。さらに、有効範囲にわたってランダムに散在するアクセス端末へ送信するためにビームフォーミングを用いるアクセス・ポイントは、近隣セル内のすべてのアクセス端末へ単一のアンテナによって送信しているアクセス・ポイントよりも、近隣セル内のアクセス端末へ少ない干渉しかもたらさない。アクセス・ポイントは、端末と通信するために使用される固定局であり、アクセス・ポイント、ノードＢ、またはその他いくつかの用語でも称されうる。アクセス端末はまた、アクセス端末、ユーザ機器（ＵＥ）、無線通信デバイス、端末、アクセス端末、あるいはその他いくつかの専門用語で称されうる。
【００３８】
図１１を参照して、システム１１００は、ＭＩＭＯシステム１１００において、（アクセス・ポイントとしても知られている）送信機システム１１１０と、（アクセス端末として知られている）受信機システム１１５０とを例示する。送信機システム１１１０では、多くのデータ・ストリーム用のトラフィック・データが、データ・ソース１１１２から送信（ＴＸ）データ・プロセッサ１１１４に提供される。おのおののデータ・ストリームは、それぞれの送信アンテナを介して送信される。ＴＸデータ・プロセッサ１１１４は、おのおののデータ・ストリームのトラフィック・データ・ストリームをフォーマットし、このデータ・ストリームのために選択された特定の符合化スキームに基づいて符号化し、インタリーブして、符合化されたデータを提供する。
【００３９】
おのおののデータ・ストリームの符合化されたデータは、ＯＦＤＭ技術を用いてパイロット・データと多重化されうる。パイロット・データは一般に、既知の方法で処理される既知のデータ・パターンであり、チャネル応答を推定するために受信機システムにおいて使用されうる。おのおののデータ・ストリームについて多重化されたパイロットおよび符合化されたデータは、データ・ストリームのために選択された特定の変調スキーム（例えば、ＢＰＳＫ、ＱＰＳＫ）、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ１１３０によって実行される命令群によって決定されうる。
【００４０】
すべてのデータ・ストリームの変調シンボルは、（例えば、ＯＦＤＭのために）変調シンボルを処理するＴＸ  ＭＩＭＯプロセッサ１１２０に提供される。ＴＸ  ＭＩＭＯプロセッサ１１２０は、その後、ＮＴ個の変調シンボル・ストリームを、ＮＴこの送信機（ＴＭＴＲ）１１２２ａ乃至１１２２ｔへ提供する。ある実施形態では、ＴＸ  ＭＩＭＯプロセッサ１１２０は、データ・ストリームのシンボル、および、そのシンボルが送信されるアンテナへ、ビームフォーミング重みを適用する。
【００４１】
おのおのの送信機１１２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１１２２ａ乃至１１２２ｔからのＮＴ個の変調信号は、ＮＴ個のアンテナ１１２４ａ乃至１１２４ｔそれぞれから送信される。
【００４２】
受信機システム１１５０では、送信された変調信号がＮＲ個のアンテナ１１５２ａ乃至１１５２ｒによって受信され、おのおののアンテナ１１５２からの受信信号が、それぞれの受信機（ＲＣＶＲ）１１５４ａ乃至１１５４ｒへ提供される。おのおのの受信機１１５４は、それぞれの受信信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００４３】
ＲＸデータ・プロセッサ１１６０は、ＮＲ個の受信機１１５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１１６０は、検出されたおのおののシンボル・ストリームを復調し、デインタリーブし、復号して、このデータ・ストリームのためのトラフィック・データを復元する。ＲＸデータ・プロセッサ１１６０による処理は、送信機システム１１１０におけるＴＸ  ＭＩＭＯプロセッサ１１２０およびＴＸデータ・プロセッサ１１１４によって実行されるものと相補的である。
【００４４】
プロセッサ１１７０は、上述したように、どの事前符合化行列を使用するのかを定期的に決定する。さらに、プロセッサ１１７０は、行列インデクス部およびランク値部を備えた逆方向リンク・メッセージを規定することができる。逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース１１３６から受け取るＴＸデータ・プロセッサ１１３８によって処理され、変調器１１８０によって変調され、送信機１１５４ａ乃至１１５４ｒによって調整され、基地局１１１０へ送り戻される。
【００４５】
送信機システム１１１０では、受信機システム１１５０からの変調信号が、アンテナ１１２４によって受信され、受信機１１２２によって調整され、復調器１１４０によって復調され、ＲＸデータ・プロセッサ１１４２によって処理されて、受信機システム１１５０によって送信された逆方向リンク・メッセージを抽出する。さらに、プロセッサ１１３０は、ビームフォーミング重みを決定するためにどの事前符合化行列を使用するかを決定するために、この抽出されたメッセージを処理する。
【００４６】
態様では、論理チャネルが、制御チャネルとトラフィック・チャネルとに分類される。論理制御チャネルは、以下を備える。システム制御情報をブロードキャストするためのＤＬチャネルであるブロードキャスト制御チャネル（ＢＣＣＨ）。ページング情報を転送するＤＬチャネルであるページング制御チャネル（ＰＣＣＨ）。１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）。一般に、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。論理トラフィック・チャネルは、以下を備える。ユーザ情報を転送するための、１つのＵＥに専用のポイント・トゥ・ポイント双方向チャネルである専用トラフィック・チャネル（ＤＴＣＨ）。また、トラフィック・データを送信するためのポイント・トゥ・マルチポイントＤＬチャネルのためのマルチキャスト・トラフィック・チャネル（ＭＴＣＨ）。
【００４７】
伝送チャネルは、ＤＬとＵＬに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされ、他の制御／トラフィック・チャネルのために使用されるＰＨＹリソースへマップされることによって、ＵＥの節電をサポートする（例えば、ＤＲＸサイクルが、ネットワークによってＵＥへ示されうる等）。ＵＬ伝送チャネルは、ランダム・アクセス・チャネル（ＲＡＣＨ）、要求チャネル（ＲＥＱＣＨ）、アップリンクは共有データ・チャネル（ＵＬ−ＳＤＣＨ）、および複数のＰＨＹチャネルを備える。ＰＨＹチャネルは、ＤＬチャネルとＵＬチャネルとのセットを備える。
【００４８】
ＤＬ  ＰＨＹチャネルは、以下を備える。  
共通パイロット・チャネル（ＣＰＩＣＨ）、  
同期チャネル（ＳＣＨ）、  
共通制御チャネル（ＣＣＣＨ）、  
共有ＤＬ制御チャネル（ＳＤＣＣＨ）、  
マルチキャスト制御チャネル（ＭＣＣＨ）、  
共有ＵＬ割当チャネル（ＳＵＡＣＨ）、  
アクノレッジメント・チャネル（ＡＣＫＣＨ）、  
ＤＬ物理共有データ・チャネル（ＤＬ−ＰＳＤＣＨ）、  
ＵＬ電力制御チャネル（ＵＰＣＣＨ）、  
ページング・インジケータ・チャネル（ＰＩＣＨ）、  
負荷インジケータ・チャネル（ＬＩＣＨ）。
【００４９】
ＵＬ  ＰＨＹチャネルは、以下を備える。  
物理ランダム・アクセス・チャネル（ＰＲＡＣＨ）、  
チャネル品質インジケータ・チャネル（ＣＱＩＣＨ）、  
アクノレッジメント・チャネル（ＡＣＫＣＨ）、  
アンテナ・サブセット・インジケータ・チャネル（ＡＳＩＣＨ）、  
共有要求チャネル（ＳＲＥＱＣＨ）、  
ＵＬ物理共有データ・チャネル（ＵＬ−ＰＳＤＣＨ）、  
ブロードキャスト・パイロット・チャネル（ＢＰＩＣＨ）。
【００５０】
他の用語は次のものを含んでいる。３Ｇ  第３世代、３ＧＰＰ  第３世代パートナシップ計画、ＡＣＬＲ  隣接チャネル漏れ比率、ＡＣＰＲ  隣接チャネル電力比率、ＡＣＳ  隣接チャネル選択性、ＡＤＳ  アドバンスト設計システム、ＡＭＣ  適応変調および符号化、Ａ−ＭＰＲ  追加最大電力減少、ＡＲＱ  自動反復要求、ＢＣＣＨ  ブロードキャスト制御チャネル、ＢＴＳ  基地トランシーバ局、ＣＤＤ  サイクリック遅延ダイバーシティ、ＣＣＤＦ  余累積分布関数、ＣＤＭＡ  符号分割多元接続、ＣＦＩ  制御フォーマット・インジケータ、Ｃｏ−ＭＩＭＯ  協同ＭＩＭＯ、ＣＰ  サイクリック・プレフィクス、ＣＰＩＣＨ  共通パイロット・チャネル、ＣＰＲＩ  共通パブリック・ラジオ・インタフェース、ＣＱＩ  チャネル品質インジケータ、ＣＲＣ  巡回冗長検査、ＤＣＩ  ダウンリンク制御インジケータ、ＤＦＴ  離散フーリエ変換、ＤＦＴ−ＳＯＦＤＭ  離散フーリエ変換拡散ＯＦＤＭ、ＤＬ  ダウンリンク（基地局から加入者への送信）、ＤＬ−ＳＣＨ  ダウンリンク共有チャネル、Ｄ−ＰＨＹ  ５００Ｍｂｐｓ物理レイヤ、ＤＳＰ  デジタル信号処理、ＤＴ  開発ツール・セット、ＤＶＳＡ  デジタル・ベクトル信号分析、ＥＤＡ  電子設計オートメーション、Ｅ−ＤＣＨ  エンハンスト専用チャネル、Ｅ−ＵＴＲＡＮ  イボルブドＵＭＴＳ地上ラジオ・アクセス・ネットワーク、ｅＭＢＭＳ  イボルブド・マルチメディア・ブロードキャスト・マルチキャスト・サービス、ｅＮＢ  イボルブド・ノードＢ、ＥＰＣ  イボルブド・パケット・コア、ＥＰＲＥ  リソース要素毎のエネルギ、ＥＴＳＩ  欧州電気通信標準協会、Ｅ−ＵＴＲＡ  イボルブドＵＴＲＡ、Ｅ−ＵＴＲＡＮ  イボルブドＵＴＲＡＮ、ＥＶＭ  誤りベクトル大きさ、および、ＦＤＤ  周波数分割デュプレクス。
【００５１】
また、その他の用語は、以下を含む。ＦＦＴ  高速フーリエ変換、ＦＲＣ  固定基準チャネル、ＦＳ１  フレーム構造タイプ１、ＦＳ２  フレーム構造タイプ２、ＧＳＭ  グローバル・システム・フォー・モバイル通信、ＨＡＲＱ  ハイブリッド自動反復要求、ＨＤＬ  ハードウェア記述言語、ＨＩ  ＨＡＲＱインジケータ、ＨＳＤＰＡ  高速ダウンリンク・パケット・アクセス、ＨＳＰＡ  高速パケット・アクセス、ＨＳＵＰＡ  高速アップリンク・パケット・アクセス、ＩＦＦＴ  逆ＦＦＴ、ＩＯＴ  インタオペラビリティ・テスト、ＩＰ  インターネット・プロトコル、ＬＯ  局部発振器、ＬＴＥ  ロング・ターム・イボリューション、ＭＡＣ  媒体アクセス制御、ＭＢＭＳ  マルチメディア・ブロードキャスト・マルチキャスト・サービス、ＭＢＳＦＮ  単一周波数ネットワークによるマルチキャスト／ブロードキャスト、ＭＣＨ  マルチキャスト・チャネル、ＭＩＭＯ  複数入力複数出力、ＭＩＳＯ  複数入力単一出力、ＭＭＥ  モビリティ管理エンティティ、ＭＯＰ  最大出力電力、ＭＰＲ  最大電力減少、ＭＵ−ＭＩＭＯ  複数ユーザＭＩＭＯ、ＮＡＳ  非アクセス階層、ＯＢＳＡＩ  オープン基地局アーキテクチャ・インタフェース、ＯＦＤＭ  直交周波数分割多重化、ＯＦＤＭＡ  直交周波数分割多元接続、ＰＡＰＲ  ピーク対平均電力比、ＰＡＲ  ピーク対平均比、ＰＢＣＨ  物理ブロードキャスト・チャネル、Ｐ−ＣＣＰＣＨ  プライマリ共通制御物理チャネル、ＰＣＦＩＣＨ  物理制御フォーマット・インジケータ・チャネル、ＰＣＨ  ページング・チャネル、ＰＤＣＣＨ  物理ダウンリンク制御チャネル、ＰＤＣＰ  パケット・データ集中プロトコル、ＰＤＳＣＨ  物理ダウンリンク共有チャネル、ＰＨＩＣＨ  物理ハイブリッドＡＲＱインジケータ・チャネル、ＰＨＹ  物理レイヤ、ＰＲＡＣＨ  物理ランダム・アクセス・チャネル、ＰＭＣＨ  物理マルチキャスト・チャネル、ＰＭＩ  事前符号化行列インジケータ、Ｐ−ＳＣＨ  プライマリ同期信号、ＰＵＣＣＨ  物理アップリンク制御チャネル、およびＰＵＳＣＨ  物理アップリンク共有チャネル。
【００５２】
他の用語は以下を含む。ＱＡＭ  直交振幅変調、ＱＰＳＫ  直交フェーズ・シフト・キーイング、ＲＡＣＨ  ランダム・アクセス・チャネル、ＲＡＴ  ラジオ・アクセス技術、ＲＢ  リソース・ブロック、ＲＦ  ラジオ周波数、ＲＦＤＥ  ＲＦ設計環境、ＲＬＣ  ラジオ・リンク制御、ＲＭＣ  基準測定チャネル、ＲＮＣ  ラジオ・ネットワーク・コントローラ、ＲＲＣ  ラジオ・リソース制御、ＲＲＭ  ラジオ・リソース管理、ＲＳ  基準信号、ＲＳＣＰ  受信信号符号電力、ＲＳＲＰ  基準信号受信電力、ＲＳＲＱ  基準信号受信品質、ＲＳＳＩ  受信信号強度インジケータ、ＳＡＥ  システム・アーキテクチャ・イボリューション、ＳＡＰ  サービス・アクセス・ポイント、ＳＣ−ＦＤＭＡ  シングル・キャリア周波数分割多元接続、ＳＦＢＣ  空間−周波数ブロック符号化、Ｓ−ＧＷ  サービス提供ゲートウェイ、ＳＩＭＯ  単一入力複数出力、ＳＩＳＯ  単一入力単一出力、ＳＮＲ  信号対雑音比、ＳＲＳ  サウンディング基準信号、Ｓ−ＳＣＨ  セカンダリ同期信号、ＳＵ−ＭＩＭＯ  シングル・ユーザＭＩＭＯ、ＴＤＤ  時分割デュプレクス、ＴＤＭＡ  時分割多元接続、ＴＲ  技術報告書、ＴｒＣＨ  伝送チャネル、ＴＳ  技術仕様書、ＴＴＡ  テレコミュニケーション技術協会、ＴＴＩ  送信時間インタバル、ＵＣＩ  アップリンク制御インジケータ、ＵＥ  ユーザ機器、ＵＬ  アップリンク（加入者から基地局への送信）、ＵＬ−ＳＣＨ  アップリンク共有チャネル、ＵＭＢ  ウルトラ・モバイル・ブロードバンド、ＵＭＴＳ  ユニバーサル移動体通信システム、ＵＴＲＡ  ユニバーサル地上ラジオ・アクセス、ＵＴＲＡＮ  ユニバーサル地上ラジオ・アクセス・ネットワーク、ＶＳＡ  ベクトル信号アナライザ、Ｗ−ＣＤＭＡ  広帯域符号分割多元接続。
【００５３】
本明細書では、さまざまな態様が、端末に関して記載されることに注目されたい。端末はまた、システム、ユーザ・デバイス、加入者ユニット、加入者局、移動局、モバイル・デバイス、遠隔局、遠隔端末、アクセス端末、ユーザ端末、ユーザ・エージェント、あるいはユーザ機器とも称されうる。ユーザ・デバイスは、セルラ電話、コードレス電話、セッション初期化プロトコル（ＳＩＰ）電話、無線ローカル・ループ（ＷＬＬ）局、ＰＤＡ、無線接続機能を有する携帯型デバイス、端末内モジュール、（例えば、ＰＣＭＣＩＡカードのように）ホスト・デバイスに接続または統合されたカード、あるいは、無線モデムに接続されたその他の処理デバイスでありうる。
【００５４】
さらに、権利主張された主題の態様は、権利主張された主題のさまざまな態様を実現するために、コンピュータまたは計算構成要素を制御するソフトウェア、ファームウェア、ハードウェア、またはこれら任意の組み合わせを生成する標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、カード、スティック、キー・ドライブ等）を含みうる。さらに、音声メールの送信または受信の際、あるいは、例えばセルラ・ネットワークのようなネットワークにアクセスする際に使用されるようなコンピュータ読取可能電子データを搬送するために、搬送波が適用されうることが認識されるべきである。もちろん、当業者であれば、本明細書に記載された精神または範囲から逸脱することなく多くの変形が、この構成とされうることを認識するだろう。
【００５５】
上述したものは、１または複数の実施形態の一例しか含んでいない。もちろん、上述した実施形態を説明する目的で、構成要素または方法の考えられる全ての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
【図１】
2011512706.tif 000003
【図２】
2011512706.tif 000004
【図３】
2011512706.tif 000005
【図４】
2011512706.tif 000006
【図５】
2011512706.tif 000007
【図６】
2011512706.tif 000008
【図７】
2011512706.tif 000009
【図８】
2011512706.tif 000010
【図９】
2011512706.tif 000011
【図１０】
2011512706.tif 000012
【図１１】
2011512706.tif 000013
【国際調査報告】
2011512706.tif 000014
2011512706.tif 000015